(57)【要約】【課題】例えば油や揮発性有機化合物またはシアン化合物等その他各種の汚染物質で汚染された土壌を浄化する方法、特に微生物を用いて浄化処理を行う汚染土壌の浄化方法に係り、水を含むスラリー状態での汚染土壌の脱水処理と微生物による浄化処理とを効率よく経済的に実施できるようにする。【解決手段】汚染土壌を微生物によって浄化処理する浄化方法において、水を含むスラリー状の汚染土壌を、汚染源浄化微生物向け栄養組成物とともに透水性のコンテナバック３内に収容した状態で所定の配置スペース４等に設置することによって、上記汚染土壌中の水分の脱水処理と、微生物による浄化処理とを同時に行うようにしたことを特徴とする。【選択図】  図１
2005270916.tif 000002
【特許請求の範囲】
【請求項１】
汚染土壌を微生物によって浄化処理する浄化方法において、水を含むスラリー状の汚染土壌を、汚染源浄化微生物向け栄養組成物とともに透水性のコンテナバック内に収容した状態で所定の配置スペース等に設置することによって、上記汚染土壌中の水分の脱水処理と、微生物による浄化処理とを同時に行うようにしたことを特徴とする汚染土壌の浄化方法。
【請求項２】
前記汚染土壌および栄養組成物とともに、汚染源浄化微生物もしくは汚染源浄化酵素もしくは微生物製剤を前記コンテナバック内に収容するようにした請求項１記載の汚染土壌の浄化方法。
【発明の詳細な説明】
【技術分野】
【０００１】
本発明は、例えば油や揮発性有機化合物またはシアン化合物等その他各種の汚染物質で汚染された土壌を浄化する浄化方法、特に好気性微生物もしくは通性嫌気性微生物等を用いて浄化処理する汚染土壌の浄化方法に関する。
【背景技術】
【０００２】
上記のような汚染土壌の浄化方法として従来一般的に行われている方法の大半は、物理的または化学的手法を用いた方法であるが、大量の低濃度汚染土壌を処理しようとする場合を中心に、微生物活動による有害物質の分解または改質を利用する生物学的浄化法、すなわちバイオレメディエーションによる浄化処理が最近適応されはじめている。
【０００３】
上記従来の物理的または化学的手法と比較すると、バイオレメディエーションは、修復に時間はかかるが、コストは低い、という特徴がある。バイオレメディエーションの中でも、掘削を伴わない原位置修復が、最も低コストであるが修復期間は長くなる。一方、パイル方式やランドファーミング方式などの手法は、掘削が伴うためコストは幾分上昇するが、微生物による有害物質の分解または改質が進みやすい最適な環境条件への制御が原位置修復より容易になり、修復期間を短縮することができる。
【０００４】
特に、汚染土壌をスラリー化して微生物による浄化処理を施す手法は、最適環境条件への制御がさらに容易になるので修復期間をより一層短縮できるが、スラリー処理槽や、処理後の脱水工程などに大掛かりな設備を要するためコストがかなり上昇する。とりわけ、短縮されるとはいえ日単位での処理を要する修復期間を通じてスラリー状態で貯留しようとすると、設備コストが嵩むため、採用をためらうケースが多い。
【０００５】
そのため、最近たとえば下記特許文献１，２のように、土壌洗浄法とバイオレメディエーションを組み合わせてお互いの短所を補い合わせる技術手法が提案されているが、このような手法においても、実質的な微生物による浄化処理は、スラリー脱水後に行われるので時間がかかる。またスラリーを脱水処理する手段としては、プレスフィルターやベルトフィルターなど、比較的短時間で処理できるものが一般的であるが、これらの設備もコストを押し上げる要因となっている。
【０００６】
【特許文献１】特開２００３−５３３２２号公報
【特許文献２】特開２００３−２３６５２４号公報
【発明の開示】
【発明が解決しようとする課題】
【０００７】
本発明は上記のような現状に鑑みて提案されたもので、水を含むスラリー状態での汚染土壌の脱水処理と微生物による浄化処理とを効率よく経済的に実施することのできる汚染土壌の浄化方法を提供することを目的とする。
【課題を解決するための手段】
【０００８】
上記の目的を達成するために本発明による汚染土壌の浄化方法は、以下の構成としたものである。すなわち、汚染土壌を微生物によって浄化処理する浄化方法において、水を含むスラリー状の汚染土壌を、汚染源浄化微生物向け栄養組成物とともに透水性のコンテナバック内に収容することによって、上記汚染土壌中の水分の脱水処理と、微生物による浄化処理とを同時に行うようにしたことを特徴とする。
【発明の効果】
【０００９】
上記のように、水を含むスラリー状の汚染土壌と汚染源浄化微生物向け栄養組成物とを透水性のコンテナバックに収容して、上記汚染土壌中の水分の脱水処理と、微生物による浄化処理とを同時に行うようにしたので、上記の脱水処理と浄化処理とを各々別々に実施した場合に比べて処理時間を大幅に短縮することが可能となる。
【発明を実施するための最良の形態】
【００１０】
以下、本発明による汚染土壌の浄化方法を図に示す実施形態に基づいて具体的に説明する。図１は本発明による汚染土壌の浄化方法を適用した浄化処理システムの一例を示す説明図である。
【００１１】
本実施形態における汚染土壌の浄化方法は、微生物による浄化処理対象である汚染土壌をスラリー化したものを、汚染源浄化微生物向け栄養組成物とともに透水性を有するコンテナバッグに入れ、時間をかけてスラリー中の水分の脱水処理を行う一方、その脱水時間を利用して微生物による浄化処理も同時に実施することに特徴がある。
【００１２】
以下、図１に基づいて具体的に説明する。先ず、油や揮発性有機化合物やシアンなど、微生物で浄化可能な汚染物質によって汚染されている土壌をスラリー化する。図１に示す実施形態では、上記のような汚染土壌を、例えば定量フィーダー付き受け入れホッパー１を介してドラム撹拌機２に供給すると共に、該ドラム撹拌機２内に水を供給して上記汚染土壌と撹拌混合することによって汚染土壌スラリーとする。
【００１３】
その汚染土壌スラリーを汚染源浄化微生物向け栄養組成物と共に透水性のコンテナバッグ３内に収容するもので、そのコンテナバック３として本実施形態においては合成繊維製のフレキシブルコンテナバッグを用いたが、透水性のコンテナバックであれば、これに限らず各種材質のものを用いることができる。上記コンテナバック３に汚染土壌スラリーと栄養組成物とを所定量収容した後は上部の開口部をファスナ等で閉じる構成であるが図には省略した。
【００１４】
上記の栄養組成物は、汚染土壌スラリーを収容する前に予めコンテナバッグ３内に投入しておくか、または汚染土壌スラリーを入れている途中で投入する、もしくは汚染土壌スラリーを入れた直後に投入してもよく、また数回に分けて投入するようにしてもよい。或いは、上記の栄養組成物を前記のドラム撹拌機２に供給される汚染土壌や水に予め混入させておくか、もしくは上記汚染土壌や水と共にドラム撹拌機２内に投入することによって汚染土壌スラリー中に栄養組成物を撹拌混合させておき、それをコンテナバッグ３内に収容してもよい。
【００１５】
また上記の栄養組成物と共に必要に応じて汚染源浄化用の微生物、酵素もしくは微生物製剤なども混入させるようにしてもよい。それらの栄養組成物および微生物、酵素もしくは微生物製剤などは、例えば粉末状その他所定性状のものをそのまま添加して混入させることも、或いは水に溶解させた状態で混入させることもできる。
【００１６】
上記のようにして汚染土壌スラリーと共に栄養組成物および必要に応じて微生物などを収容したコンテナバック３は所定の配置スペース等に配置するもので、図の場合は、表面に遮水構造４ａを有する配置スペース４に上記のコンテナバック３を多数並べて配置したものである。上記の遮水構造４ａを有する配置スペース４は、地表を造成して形成した窪み構造の配置スペース４の表面に遮水構造４ａとして遮水シート等を敷き詰めると低コストで形成できるが、コンクリート等でピット状に施工するなど、その他の方法で形成しても差し支えない。また遮水構造４ａに集水機能を付加すると共に排水通路４ｂ等を形成しておけば排水処理が容易になる。
【００１７】
上記のようにして栄養組成物と共にコンテナバック３内に収容して配置スペース４等に配置した汚染土壌スラリーは、該スラリー中の水分が自重で透水性のコンテナバック３を透過することによって徐々に脱水されると共に、土壌中に含まれている微生物もしくは必要に応じて上記栄養組成物と共にコンテナバック３内に混入させた微生物によって汚染物質が次第に浄化されていく。その脱水処理と浄化処理とは同時に行われるので効率よく処理することができる。
【００１８】
なお上記実施形態は、コンテナバック３を配置スペース４に一段の平並べにしたが、上下方向に二段、三段、と多段に積み重ねてもよく、これは確保したい微生物による浄化処理期間と処理効率とを勘案して適宜決定すればよい。また脱水が完了するまでの期間はコンテナバック３の種類やスラリーの状態などにも依るが、一般に積み重ねる段数が少ないほど脱水に時間がかかるが、浄化処理期間を長く確保することができる。逆に段数が多いと脱水処理時間を短くでき、必要な浄化処理期間を充分確保した上で任意に設定することができる。さらに透水性を有するコンテナバック３は通気性もよいので、浄化処理期間中は大気中の酸素が自然にコンテナバック３内に進入して浄化処理を促進させることができる。
【００１９】
上記のようにしてコンテナバック３内に収容した汚染土壌スラリーの自重による脱水処置と、微生物による浄化処理とが終了したところで、清浄化された土壌をコンテナバック３から取り出し、その土壌中の汚染物質が所定の基準値以下であることを確認した上で、埋め戻し用の土壌などとして再利用することができるものである。
【００２０】
なお上記実施形態は、汚染土壌をそのまま水と混合してコンテナバック３に収容するようにしたが、例えば上記の汚染土壌を土壌洗浄法等の他の浄化方法や各種分別処理等の前処理を行って、微生物による浄化処理の必要がない粒分もしくは微生物による浄化処理に適さない粒分を除いた後の汚染土壌をコンテナバック３に収容するようにしてもよい。特に、上記の前処理として水を用いて洗浄、解砕、分別等の処理を行った場合には、その水分を含む汚染土壌スラリーを、そのまま上記コンテナバック３内に収容して脱水および微生物による浄化処理を行うことができる。
【実施例】
【００２１】
以下、本発明による汚染土壌の浄化方法を用いてシアン化合物で汚染された土壌の浄化処理を行った具体的な実施例について説明する。
【００２２】
〔実施例１〕
シアン化合物で汚染されているサイトＡから掘り出した汚染土壌に対して、前記図１に示すプロセスに準じた処理を実施した。この汚染土壌の処理前のＴ−ＣＮ溶出試験値は０．２ｍg／Lであつた。
【００２３】
先ず初めに、処理対象となった汚染土壌５ｔを、水１０ｍ３とともにドラム撹拌機に投入してよく混合し、スラリー化した。この汚染土壌スラリーを、１５個のフレキシブルコンテナバッグに分配投入し、その際同時に、汚染源浄化微生物向け栄養組成物溶液６０Ｌ（バッグ１個あたり４Ｌ）も分配投入した。次に、この汚染土壌スラリーと栄養組成物溶液を充填したバッグを、遮水構造を施した配置スペースに並べて放置し、微生物による浄化処理と脱水処理を同時進行で開始した。
【００２４】
微生物による浄化処理および脱水処理が完了した、処理開始から４日間経過時点で、１５個のバッグ全てから処理後土壌を抜き出し、そのＴ−ＣＮ溶出試験値を調べた。その結果、値は全て環境基準（０．１ｍｇ／Ｌ未満）を下回り、汚染が良好に浄化できたことが確認できた。
【産業上の利用可能性】
【００２５】
以上のように本発明による汚染土壌の浄化方法は、汚染土壌スラリーを、汚染源浄化微生物向け栄養組成物とともに透水性のコンテナバッグに入れて所定の配置スペース４等に配置することによって、脱水と微生物による浄化処理とを同時に効率よく行うことができるもので、前記従来のように脱水処理と微生物による浄化処理とを各別に実施する場合に比べて処理時間を大幅に短縮することが可能となり、この種の浄化処理作業の能率向上および作業コストの低減等を図るのに有効適切である。
【図面の簡単な説明】
【００２６】
【図１】本発明による汚染土壌の浄化方法を適用した浄化処理システムの一例を示す説明図。
【符号の説明】
【００２７】
１  受け入れホッパー
２  ドラム撹拌機
３  コンテナバッグ
４  配置スペース
４ａ  遮水構造
【図１】
2005270916.tif 000003